Podtech/llm-jp-corpus-v4-ja_patent huggingface dataset:
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
内視鏡手術中に締結具を骨に打ち込むための関節動作ツールであって、
近位端、遠位端、内腔および長手方向軸を備える細長外側ハウジングであって、モータを備えるハンドピースと係合するように構成される細長外側ハウジングと、
外側ハウジングの内腔を通過して延在する第１のシャフト、
第１の端部および第２の端部を有し、第１の端部が第１のシャフトの遠位部分に連結される、関節動作トルク伝達ユニットおよび、
関節動作トルク伝達ユニットの第２の端部に配置され、ビットと着脱自在に係合し、ビット軸の周りにビットを回転させるように構成され、ビットが締結具と係合するように構成される、ドライバヘッドアダプタを備えるトルク伝達機構であって、
モータからドライバヘッドおよびビットにトルクを伝達するように構成され、それによって、ビットに係合される締結具を骨に打ち込むトルク伝達機構と、
トルク伝達機構とは別個の関節動作機構であって、
外側ハウジングの内腔を通過して延在する第２のシャフト、
第２のシャフトの近位部分に接続され、第２のシャフトを近位および遠位に移動させるように構成されるアクチュエータおよび、
第２のシャフトの遠位部分に接続され、ドライバヘッドアダプタに接続され、かつヒンジに枢支されるリンクであって、
第２のシャフトの遠位への移動に応じて、長手方向軸とビット軸との間の角度が減少するようにヒンジ周りで回転し、
第２のシャフトの近位への移動に応じて、長手方向軸とビット軸との間の角度が増加するように、リンクがヒンジの周りで回転するリンクを備える関節動作機構と、
を備える関節動作ツール。
【請求項２】
関節動作トルク伝達ユニットが第１、第２および第３の傘歯車を備え、第１の傘歯車が第１のシャフトに固定的に連結され、第２の傘歯車が歯車支持シャフトに連結され、第３の傘歯車が出力シャフトに連結される、請求項１に記載の関節動作ツール。
【請求項３】
第１の傘歯車が第２の歯車と噛み合い、第２の歯車が第３の歯車と噛み合う、請求項２に記載の関節動作ツール。
【請求項４】
シャフトの回転がドライバヘッドアダプタの反対方向の回転を引き起こす、請求項２または３に記載の関節動作ツール。
【請求項５】
関節動作ユニットが第１、第２、第３および第４の傘歯車を備え、第１の傘歯車が第１のシャフトに固定的に連結され、第２および第３の傘歯車が歯車支持シャフトに連結され、第４の傘歯車が出力シャフトに連結される、請求項１に記載の関節動作ツール。
【請求項６】
第１の傘歯車が第２の傘歯車と噛み合い、第３の傘歯車が第４の傘歯車と噛み合う、請求項５に記載の関節動作ツール。
【請求項７】
第２の傘歯車の回転が、歯車支持シャフトを介して第３の傘歯車の回転に伝達される、請求項５または６に記載の関節動作ツール。
【請求項８】
第１のシャフトの回転が、ドライバヘッドアダプタの同方向への回転を引き起こすように構成される、請求項５〜７のいずれかに記載の関節動作ツール。
【請求項９】
関節動作ユニットの一部の上方に延在する支持壁を備える、請求項１〜８のいずれかに記載の関節動作ツール。
【請求項１０】
支持壁が、第２のシャフトおよびリンクを収容するように構成される開口部を備える、請求項９に記載の関節動作ツール。
【請求項１１】
第２のシャフトが近位に移動するとき、リンクが、ツールの長手方向軸から外側に曲がる、請求項１０に記載の関節動作ツール。
【請求項１２】
支持壁が、歯車支持シャフトに連結される第２のヒンジで枢動可能に連結される遠位部分および近位部分を備え、遠位部分が出力シャフトに連結され、遠位部分が第２のシャフトの軸方向の移動に応じて第２のヒンジおよび／または歯車支持シャフトの周りで近位部分に対して回転する、請求項９または１０に記載の関節動作ツール。
【請求項１３】
ドライバヘッドアダプタが、ビットのシャフトを収容するように構成される内腔を備える、請求項１〜１２のいずれかに記載の関節動作ツール。
【請求項１４】
ドライバヘッドアダプタの内腔が回転制限面を備える、請求項１３に記載の関節動作ツール。
【請求項１５】
細長外側ハウジングが、ハンドピースに着脱自在に連結するように構成される本体連結組立体をさらに備える、請求項１〜１４のいずれかに記載の関節動作ツール。
【請求項１６】
本体連結組立体が、第１のシャフトの近位端に動作可能に連結されるコレットシャフトを備え、コレットシャフトの自由端が、ハンドピースの駆動シャフトに連結されるように構成される、請求項１５に記載の関節動作ツール。
【請求項１７】
駆動シャフトの回転が第１のシャフトの回転を引き起こすように、コレットシャフトの自由端が回転制限形状を備える、請求項１６に記載の関節動作ツール。
【請求項１８】
本体連結組立体が、細長外側ハウジングの近位端に動作可能に連結される本体インターフェースを備える、請求項１５〜１７のいずれかに記載の関節動作ツール。
【請求項１９】
本体インターフェースが、該本体インターフェースの外面に溝を備える、請求項１８に記載の関節動作ツール。
【請求項２０】
少なくとも１つの方向付け機構が、本体インターフェースの近位対向面から近位に延在する、請求項１８または１９に記載の関節動作ツール。
【請求項２１】
第２のシャフトの遠位端の近傍で第２のシャフトの一部にあるねじ山と螺合するアクチュエータをさらに備え、アクチュエータが、第２のシャフトの軸方向の移動を引き起こすように構成される、請求項１〜２０のいずれかに記載の関節動作ツール。
【請求項２２】
第２のシャフトが回転動作を実質的に阻まれるように、第２のシャフトの遠位部分が、第２のシャフトの遠位端の近傍で回転制限ストッパに摺動可能に収容される回転制限面を備える、請求項２１に記載の関節動作ツール。
【請求項２３】
アクチュエータがホイールを備え、該ホイールの回転が第２のシャフトの軸方向移動を引き起こす、請求項２２に記載の関節動作ツール。
【請求項２４】
第２のシャフト上の回転制限面が実質的に平坦な表面を備える、請求項２２または２３に記載の関節動作ツール。
【請求項２５】
ドライバヘッドアダプタが、約０°〜約４５°の間で外側ハウジングに対して回転するように構成される、請求項１〜２４のいずれかに記載の関節動作ツール。
【請求項２６】
請求項１〜２５のいずれかに記載の関節動作ツールと、ビットおよびハンドピースのいずれかまたは両方とを備える、内視鏡的締結具留置のためのシステム。
【請求項２７】
ハンドピースのモータが電気モータを備える、請求項２６に記載のシステム。
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
所望の遺伝形質を有する反芻動物を選択する方法であって、動物のマイクロバイオーム中の前記遺伝形質に関連する経世代細菌の量を分析することを含み、前記経世代細菌の量は、動物が前記所望の遺伝形質を有するかどうかの指標となり、前記経世代細菌は、表１に記載の操作的分類単位（ＯＴＵ）の内の少なくとも１種である、方法。
【請求項２】
前記経世代細菌は、バクテロイデス門及びファーミキューテス門の細菌であり、その量は、動物が前記所望の遺伝形質を有するかどうかの指標となる、請求項１に記載の方法。
【請求項３】
前記経世代細菌は、バクテロイデス目及びクロストリジウム目の細菌である、請求項１に記載の方法。
【請求項４】
前記少なくとも１種のＯＴＵは、少なくとも５種のＯＴＵを含む、請求項１に記載の方法。
【請求項５】
前記反芻動物は雌ウシである、請求項１に記載の方法。
【請求項６】
選択した前記動物を繁殖に使用することを更に含む、請求項１〜５のいずれか一項に記載の方法。
【請求項７】
前記所望の遺伝形質は、乳タンパク質、乾物摂取量、メタン生成、飼料効率及び乳脂肪から成る群から選択される、請求項１〜６のいずれか一項に記載の方法。
【請求項８】
前記量の分析は、前記マイクロバイオームの試料に由来するＤＮＡをシーケンシングによって行う、請求項１〜７のいずれか一項に記載の方法。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
エアフィルタカートリッジにおいて、
（ａ）濾材を含み、第一及び第二の、相互に反対側にある吸排気端を有する濾材パックであって、
（ｉ）前記第一の吸排気端は吸気端を含み、
（ｉｉ）前記第二の吸排気端は排気端を含み、
（ｉｉｉ）前記濾材パックは前記吸気端に流入する空気を、前記空気が前記排気端から出る前に濾過するように構成されている
ような濾材パックと、
（ｂ）前記濾材パック上に位置付けられた筐体シール装置であって、
（ｉ）前記筐体シール装置は空気流路を画定し、
（ｉｉ）前記筐体シール装置は、使用時に周囲構造と釈放可能にシール状態で係合する向きの第一の半径方向のシール面を画定する第一の半径方向に外向きのシール部材を含み、
（ｉｉｉ）前記第一の半径方向のシール面は、前記流路周辺の範囲に周囲方向を画定し、
（ｉｖ）前記第一の半径方向のシール面は、
（Ａ）前記周囲方向の一部に沿った範囲内に少なくとも２つの凸部と３つの凹部を含む交互の半径方向の凸／凹構成を含む半径方向に向かう部分を含む少なくとも第一のシール面部分と、
（Ｂ）交互の凸／凹構成を含まず、その中に凹部を持たない、前記周囲方向に前記半径方向のシール面の範囲の少なくとも３０％と、
を含む、
ような筐体シール装置と、
を含むエアフィルタカートリッジ。
【請求項２】
（ａ）前記第一の半径方向のシール面は、少なくとも第一のシール面部分及び第２のシール面部分を含み、前記周囲方向における範囲において、それぞれが交互の凸／凹構成を含む半径方向に向かう部分を含み、
（ｂ）前記第一の半径方向のシール面の範囲の少なくとも４０％は、周囲方向において、交互の凸／凹構成を含まず、その中に凹部を持たない、
請求項１に記載のエアフィルタカートリッジ。
【請求項３】
（ａ）前記第一の半径方向のシール面は、２つの相互に反対側にあるまっすぐのシール面部分と２つの相互に反対側にある弧状シール面部分を有する周囲方向の形状を含み、
（ｉ）前記まっすぐのシール面部分は前記弧状シール面部分の間に延びる、
請求項１〜２の何れか１項に記載のエアフィルタカートリッジ。
【請求項４】
（ａ）前記２つの相互に反対側にある弧状シール部分の各々は、前記周囲方向の部分に沿った範囲内に少なくとも２つの凸部と３つの凹部を有する交互の凸／凹構成を有する、
請求項３に記載のエアフィルタカートリッジ。
【請求項５】
（ａ）前記２つの相互に反対側にある弧状シール部分の各々は第一及び第二の端凸部と第一及び第二の端凹部を含み、
（ｉ）各端凸部は、前記２つの相互に反対側にあるまっすぐの部分の隣接する１つから、前記端凹部の少なくとも隣接する１つにより離間される、
請求項４に記載のエアフィルタカートリッジ。
【請求項６】
（ａ）前記２つの相互に反対側にある弧状シール部分の各々は、前記端凹部の隣接する１つから、その反対側において各端凸部に隣接する関連する中間凹部を含み、
（ｉ）各関連する中間凹部の、前記凸部の最も外側の部分から離れる方向における範囲の深さは、各々の次の隣接する端凹部よりも深い、
請求項５に記載のエアフィルタカートリッジ。
【請求項７】
（ａ）前記第一の半径方向のシール面は、
（ｉ）前記第一の半径方向のシール面の少なくとも１つの非凸／凹シール部分と共線的な仮定上の標準的形状のシール面係合周囲を画定する部分と、
（ｉｉ）前記仮定上の標準的形状のシール面係合周囲からシール方向に延びる取付け妨害用凸部構成を有する第一の面輪郭を含む半径方向に向かう部分を含む、少なくとも１つの第一の凸／凹シール面部分と、
を含む、
請求項１〜６の何れか１項に記載のエアフィルタカートリッジ。
【請求項８】
（ａ）前記第一の半径方向のシール面は、前記第一の半径方向のシール面の少なくとも１つの非凸／凹シール部分と共線的な仮定上の標準的形状のシール面係合周囲を画定する部分を有し、
（ｂ）前記第一の半径方向のシール面は、前記仮定上の標準的形状のシール面係合周囲を横切る方向に延びる少なくとも第一のシール面部分を有する第一の面輪郭を含む半径方向に向かう部分を含む、少なくとも１つの第一の凸／凹シール面部分を含む、
請求項１〜７の何れか１項に記載のエアフィルタカートリッジ。
【請求項９】
（ａ）前記筐体シール装置は、使用時に空気清浄装置と釈放可能にシール状態で係合するような向きの第二の半径方向のシール面部分を含み、
（ｉ）前記第二の半径方向のシール面部分は、前記第一の半径方向に向かう部分と軸方向に整列し、
（ｉｉ）前記第二の半径方向のシール面部分は、筐体の非凸／凹シール面とシール状態で係合するように構成される、
請求項１〜８の何れか１項に記載のエアフィルタカートリッジ。
【請求項１０】
（ａ）前記濾材パックは、前記第一及び第二の、相互に反対側にある吸気端と排気端との間の範囲において楕円の断面形状を有し、
（ｉ）前記楕円の断面形状は、それらの間に延びる側辺を有する第一及び第二の湾曲端を画定し、
（ｂ）前記筐体シール装置は前記排気端に位置付けられ、
（ｃ）前ハンドル装置は、前記吸気端に隣接するプリフォーム上に位置付けられ、前記第一及び第二の湾曲端の１つと重複するハンドル部材を有する、
請求項１〜９の何れか１項に記載のエアフィルタカートリッジ。
【請求項１１】
（ａ）前記カートリッジは、前記筐体シール装置のシール材料の中に埋め込まれたシール支持部をその中に含み、
（ｂ）好ましくは、前記シール支持部は、狭い凸部先端のそれぞれの側に少なくとも１つの広い凹部を含み、
（ｃ）好ましくは、前記第一の半径方向のシール面の中の少なくとも１つの凹部はセグメント式の凹部であり、
（ｄ）好ましくは、前記第一の半径方向のシール面の中の少なくとも１つの凸部は切頭型の凸部であり、
（ｅ）好ましくは、前記第一の半径方向のシール面の中の少なくとも１つの凹部は、凸部の方向に弓なりの部分を含む、
請求項１〜１０の何れか１項に記載のエアフィルタカートリッジ。
【請求項１２】
（ａ）前記第一の半径方向のシール面の中の少なくとも１つの凸部は、セグメント式の凸部である、
請求項１に記載のエアフィルタカートリッジ。
【請求項１３】
（ａ）前記第一の半径方向のシール面は、交互の凸／凹構成を含まず、その中に凹部を有さず、円弧の輪郭に対応する周囲方向の形状を有する、前記周囲方向における少なくとも３０％の範囲を含む、
請求項１〜１２の何れか１項に記載のエアフィルタカートリッジ。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
遠心式コーヒー抽出装置（１０）であって、
主軸線（１８）を中心に回転可能な回転アセンブリ（１６）であって、前記回転アセンブリは、
底壁（２１）を備えるチャンバ要素（２０）と、
フィルタ（２５）を備えるシリンダ要素（２４）と、
を備え、
前記チャンバ要素及び前記シリンダ要素が抽出チャンバ（２６）を形成する、回転アセンブリと、
コーヒーを遠心分離するために前記主軸線を中心に前記回転アセンブリを回転させるための主駆動部（２７）と、
を備え、
前記フィルタを含む前記シリンダ要素は、前記フィルタが前記抽出チャンバの円周を形成し、かつ前記回転アセンブリが抽出構成を有する第１の下方位置（２８）と、前記抽出チャンバの円周が開口され、かつ前記チャンバ要素を回転させることによって第２の上方位置のコーヒー残渣を放出することができる第２の上方位置（２９）との間で移動可能である、
遠心式コーヒー抽出装置。
【請求項２】
前記チャンバ要素は、垂直方向に静止しており、前記主軸線を中心に回転のみするように構成される、請求項１に記載の遠心式コーヒー抽出装置。
【請求項３】
前記シリンダ要素は、軸方向に移動可能である、請求項１又は請求項２に記載の遠心式コーヒー抽出装置。
【請求項４】
前記シリンダ要素を前記第１の下方位置から前記第２の上方位置に、かつその逆に移動させるためのシリンダ駆動アセンブリ（３０）を備え、前記シリンダ駆動アセンブリは、前記主駆動部とは別個であり、前記シリンダ駆動アセンブリは、シリンダアクチュエータ（３２）、特に電気モータを備える、請求項１〜請求項３のいずれか１項に記載の遠心式コーヒー抽出装置。
【請求項５】
前記シリンダ駆動アセンブリは、
前記シリンダアクチュエータにより駆動されるリングギヤ（３１）であって、前記主軸線を中心に回転可能である、リングギヤ（３１）と、
前記リングギヤによって係合され、それぞれのシリンダスピンドル軸線を中心に回転可能である、１つ又は複数のシリンダスピンドル（３２）と、
を備える、請求項４に記載の遠心式コーヒー抽出装置。
【請求項６】
前記シリンダアクチュエータ及び前記主駆動部（２７）は、前記回転アセンブリの上に位置決めされ、前記シリンダアクチュエータは、特に前記主駆動部に隣接して位置決めされる、請求項４に記載の遠心式コーヒー抽出装置。
【請求項７】
前記シリンダ駆動アセンブリは、前記シリンダ要素を含む前記回転アセンブリがシリンダ駆動カムに接触することなく前記主軸線を中心に回転することを可能にするために、前記シリンダ要素が前記第２の上方位置から前記第１の下方位置に移動した後に、前記シリンダ駆動カムをシリンダカムから係合解除し、かつ前記シリンダカムと前記シリンダ駆動カムとの間に間隙を生成するように構成される、請求項５に記載の遠心式コーヒー抽出装置。
【請求項８】
前記第２の上方位置では、前記シリンダ要素は、前記チャンバ要素から係合解除され、前記チャンバ要素は、特にコーヒー残渣を放出するために前記シリンダ要素なしで回転する、請求項１〜請求項７のいずれか１項に記載の遠心式コーヒー抽出装置。
【請求項９】
前記遠心式コーヒー抽出装置は、前記シリンダ要素を前記第１の下方位置から前記第２の上方位置に、又はその逆に移動させる前に、前記回転アセンブリの回転を停止するように構成される、請求項１〜請求項８のいずれか１項に記載の遠心式コーヒー抽出装置。
【請求項１０】
前記遠心式コーヒー抽出装置は、加速又は減速中に前記シリンダ要素と前記チャンバ要素との間のスリップを防止するために、前記回転アセンブリの加速及び減速を４００ｒａｄ／ｓ２未満に制限するように構成される、請求項１〜請求項９のいずれか１項に記載の遠心式コーヒー抽出装置。
【請求項１１】
前記主駆動部（２７）は、前記主駆動部から下方に延在し、かつ前記主駆動部と前記チャンバ要素との間の係合解除可能な連結又は螺旋状カムトラックなしに前記チャンバ要素に直接連結される機軸（４０）を備え、前記遠心式コーヒー抽出装置は、特に主軸線に対して偏心している別個の挽かれたコーヒーチャネル及び熱水供給管を備える、請求項１〜請求項１０のいずれか１項に記載の遠心式コーヒー抽出装置。
【請求項１２】
前記シリンダ要素は、前記フィルタを通過したコーヒーを前記シリンダ要素を通って前記シリンダ要素の外側に導くための少なくとも１つのチャネル（４４）を備え、前記チャネルは、前記フィルタの下流に配置された入口（４５）と、前記入口の下流に配置されたチャネル出口（４６）とを備え、前記チャネルは、前記入口と前記チャネル出口との間で、水平面に対して少なくとも７５度、具体的には少なくとも８０度の角度で上方向に延在する、請求項１〜請求項１１のいずれか１項に記載の遠心式コーヒー抽出装置。
【請求項１３】
前記主駆動部及びシリンダアクチュエータは、それぞれの垂直軸線を中心に各々回転する、請求項１〜請求項１２のいずれか１項に記載の遠心式コーヒー抽出装置。
【請求項１４】
コーヒーを抽出する方法であって、前記コーヒーを抽出する方法は、
請求項１〜請求項１３のいずれか１項に記載の装置（１０）を提供することと、
前記シリンダ要素が前記第１の下方位置にあるとき、前記抽出チャンバ内に挽かれたコーヒー及び熱水を供給することと、
コーヒーを抽出するために前記回転アセンブリを回転させることと、
前記シリンダ要素を前記第１の下方位置から前記第２の上方位置に移動させることと、
コーヒー残渣を放出するために前記チャンバ要素を回転させることと、
前記シリンダ要素を前記第２の上方位置から前記第１の下方位置に移動させることと、
を含む、コーヒーを抽出する方法。
【請求項１５】
前記チャンバ要素は、前記シリンダ要素が前記第１の下方位置と前記第２の上方位置との間を移動する間、垂直方向に静止状態に保持される、請求項１〜請求項１４のいずれか１項に記載のコーヒーを抽出する方法。
【手続補正書】
【提出日】令和3年8月6日(2021.8.6)
【手続補正１】
【補正対象書類名】明細書
【補正対象項目名】０００３
【補正方法】変更
【補正の内容】
【０００３】
既存の走査装置によっても良好な結果が得られるが、装置の走査速度および精度を改良する必要があり、また、装置のサイズおよび重量を低減して利用者が使用中に容易に利用できるようにする必要がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第９，５３９，０７０号明細書
（特許文献２）  韓国公開特許第１０−２０１１−０１２７９５０号公報
（特許文献３）  米国特許出願公開第２０１３／０１３０１９１号明細書
（特許文献４）  米国特許出願公開第２００２／００４５８１１号明細書
（特許文献５）  欧州特許出願公開第０３４５３６８号明細書
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
第一、第二および第三コンパートメントを備える三次元多相合成組織スキャフォールドであって、
各前記コンパートメントは、異なる微細構造の、ならびに／または化学的な、および／もしくは機械的な特性を備え、連続界面を介して前記スキャフォールドの少なくとも１つの他のコンパートメントと連結しており；
前記組織スキャフォールドは多孔質であり；ならびに
前記組織スキャフォールドの外的形態は、哺乳類関節またはその要素の外的形態を模倣する、
多相合成組織スキャフォールド。
【請求項２】
前記第一、第二および／もしくは第三コンパートメントのいずれか１つ以上は、一連の繊維を含み、
前記一連の繊維は、好ましくは複数の繊維層を備える、請求項１に記載の多相合成組織スキャフォールド。
【請求項３】
前記第二コンパートメントは、一連の靭帯の外的形態を模倣する一連の繊維を含み、前記一連の繊維は前記第一および第三コンパートメントの中間に位置し、前記第一および第三コンパートメントを連結する、請求項１または２に記載の多相合成組織スキャフォールド。
【請求項４】
前記複数の繊維層は、第一および第二繊維層を備え、
前記第一繊維層は、第一軸に沿って整列し、
前記第二繊維層は、第二軸に沿って整列し、ならびに
前記第二軸は、前記第一軸に対して斜めに回転する、
請求項３に記載の多相合成組織スキャフォールド。
【請求項５】
前記第二軸は、
−少なくとも：前記第一軸に対して、２°；または
−前記第一軸に対して、２０°〜５０°
の角度で回転する、請求項４に記載の多相合成組織スキャフォールド。
【請求項６】
前記複数の繊維層は、第三軸に沿って整列した第三層を備え、
前記第三軸は、前記第一軸および／もしくは前記第二軸のいずれかまたは両方に対して斜めに回転する；または
前記第三軸は、前記第一軸および／もしくは前記第二軸に対して同じ角度で回転する；または、
前記第三軸は、前記第一軸に対して反時計方向に回転し、前記第二軸に対して時計方向に回転する、
請求項４または請求項５に記載の多相合成組織スキャフォールド。
【請求項７】
前記第一および第三コンパートメントの各々の外的形態は骨の外的形態を模倣し、前記第二コンパートメントの外的形態は前記第一コンパートメントおよび第三コンパートメントの中間に位置し、前記第一コンパートメントおよび第三コンパートメントを連結する一連の靭帯の外的形態を模倣する；または
前記組織スキャフォールドの外的形態は、舟状月状骨関節またはその要素の外的形態を模倣する；または
前記第一コンパートメントの外的形態は舟状骨の外的形態を模倣し、前記第三コンパートメントの外的形態は月状骨の外的形態を模倣し、前記第二コンパートメントの外的形態は一連の舟状月状骨靭帯の外的形態を模倣する、
請求項１〜６のいずれか一項に記載の多相合成組織スキャフォールド。
【請求項８】
前記一連の舟状月状骨靭帯は背側舟状月状骨靭帯であり、近位側舟状月状骨靭帯でも掌側舟状月状骨靭帯でもない；および／または
前記スキャフォールドは、１００μＭ〜１０００μＭの最大幅を有する細孔を備える、請求項７に記載の多相合成組織スキャフォールド。
【請求項９】
前記多相合成組織スキャフォールドは、哺乳類細胞を更に含み、好ましくは、前記哺乳類細胞は、靭帯由来幹細胞、軟骨幹細胞、間葉系幹細胞（骨髄間質細胞）、脂肪由来幹細胞、骨芽細胞、骨芽細胞様細胞、幹細胞、前駆細胞、またはこれらのいずれかの組合せから成る群から選択される、または、好ましくは、前記細胞は、ヒト間葉系幹細胞、もしくはヒト骨髄間葉系幹細胞である、
請求項１〜８のいずれか一項に記載の多相合成組織スキャフォールド。
【請求項１０】
前記哺乳類細胞は、１つ以上のコンパートメントに巻き付いているおよび／または１つ以上のコンパートメントに挿入されている細胞シート内に存在する、請求項９に記載の多相合成組織スキャフォールド。
【請求項１１】
前記第一、第二および／または第三コンパートメントのいずれか１つ以上は、高分子材料を含み、好ましくは、前記高分子材料は、コラーゲン、キトサン、ヒアルロン酸、アルギン酸、ゼラチン、ポリエチレングリコールジメタクリレート（ＰＥＧ)、ゼラチンメタクリロイル、マトリゲル、フィブリノーゲン、アガロース、およびポリカプロラクトンから成る群から選択され；または、好ましくは、前記高分子材料は、ポリカプロラクトンまたはポリウレタンである、請求項１〜１０のいずれか一項に記載の多相合成組織スキャフ
ォールド。
【請求項１２】
前記組織スキャフォールドを、三次元（３Ｄ)バイオプリンターを使用して、前記組織スキャフォールドが完全な形で製造されるまで、プラットフォーム上に前記高分子材料を連続的に堆積して製造する、請求項１〜１１のいずれか一項に記載の多相合成組織スキャフォールド。
【請求項１３】
請求項１〜１２のいずれか一項に記載の三次元多相合成組織スキャフォールドの製造方法であって、前記方法は、三次元（３Ｄ）バイオプリンターを使用して、前記組織スキャフォールドが完全な形で製造されるまで、プラットフォーム上に高分子材料を連続的に堆積することを含む、方法。
【請求項１４】
対象の損傷した靭帯の治療のための薬物の製剤のための、請求項１〜１２のいずれか一項に記載の三次元多相合成組織スキャフォールドの使用。
【請求項１５】
前記靭帯は、舟状月状骨靭帯またはその哺乳類均等物である；および／または
前記対象は、ヒトである、
請求項１４に記載の使用。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
変圧器鉄心（１２）を製造する装置（１１）であって、
変圧器鉄心を形成するための金属シート（１６、３５）を纏める積み重ね卓（１８、３３、５２）と、前記金属シートのための少なくとも２つの位置決め補助具とを有し、前記積み重ね卓は、前記位置決め補助具のための位置決め表面（２６、３７、５１）を形成し、且つ、前記位置決め補助具を備える保持システム（１９）を含み、
前記積み重ね卓及び前記位置決め補助具は、前記位置決め表面内での前記位置決め補助具の自由な位置決め及び位置に無関係な固定が可能となるように実現されており、
前記装置は、前記位置決め補助具が、前記積み重ね卓の上に配置され、若しくは前記積み重ね卓から取り外され、又はその両方が行われる位置決めシステム（２５）を有していることを特徴とする装置。
【請求項２】
請求項１に記載の装置において、
前記位置決めシステム（２５）は、多軸ロボット（２４）を有していることを特徴とする装置。
【請求項３】
請求項１又は２に記載の装置において、
前記位置決め補助具は、前記位置決め表面（２６、３７、５１）の上に前記位置決め補助具を固定する保持装置（３６、５３）を有するように、各々、実現されていることを特徴とする装置。
【請求項４】
請求項３に記載の装置において、
前記保持装置（３６、５３）は、前記位置決め表面（２６、３７、５１）の上に前記位置決め補助具を固定する磁気把持ユニット（５５）、真空把持ユニット（３８）又は機械式把持ユニットを含むことを特徴とする装置。
【請求項５】
請求項４に記載の装置において、
前記磁気把持ユニット（５５）は、アキュムレータ（５７）及びコイルを有していることを特徴とする装置。
【請求項６】
請求項４に記載の装置において、
前記真空把持ユニット（３８）は、真空ポンプ若しくは真空アキュムレータ又はその両方を含むことを特徴とする装置。
【請求項７】
請求項３〜６のいずれか１項に記載の装置において、
前記保持装置（３６、５３）は、保持力を形成するためのエネルギー蓄積部を含むことを特徴とする装置。
【請求項８】
請求項１〜３のいずれか１項に記載の装置において、
前記積み重ね卓（１８、３３、５２）は、前記位置決め表面（２６、３７、５１）を形成する磁化可能把持プレート又は真空把持プレートを含むことを特徴とする装置。
【請求項９】
請求項１〜８のいずれか１項に記載の装置において、
前記位置決め表面（２６、３７、５１）は、全くの平坦であることを特徴とする装置。
【請求項１０】
請求項１〜９のいずれか１項に記載の装置において、
前記装置（１１）は、自動に移動可能な複数の積み重ね卓（１８、３３、５２）を有していることを特徴とする装置。
【請求項１１】
装置（１１）を用いて変圧器鉄心（１２）を製造する方法であって、
前記装置における保持システム（１９）の積み重ね卓（１８、３３、５２）の上に、金属シート（１６、３５）のための前記保持システムにおける少なくとも２つの位置決め補助具によって前記変圧器鉄心を組み立てる、前記金属シート（１６、３５）を集め、
前記積み重ね卓は、前記位置決め補助具のための位置決め表面（２６、３７、５１）を形成すると共に、前記位置決め補助具を備えており、
前記位置決め補助具は、前記位置決め表面内において、自由に配置可能であり且つその位置に無関係に固定可能であり、前記位置決め補助具は、位置決めシステム（２５）によって、前記積み重ね卓の上に配置され、若しくは前記積み重ね卓から取り外され、又はその両方が行われることを特徴とする方法。
【請求項１２】
請求項１１に記載の方法において、
前記位置決め表面（２６、３７、５１）内での前記位置決め補助具の位置は、製造対象の前記変圧器鉄心（１２）の形状に関する関数として、前記装置の制御装置（１７）によって決定されることを特徴とする方法。
【請求項１３】
請求項１２に記載の方法において、
制御コマンドは、変圧器鉄心（１２）を記述する部品データに関する関数として、変圧器鉄心を製造する設備（１０）の制御システム（１３）から前記制御装置（１７）に送信されることを特徴とする方法。
【請求項１４】
請求項１３に記載の方法において、
前記積み重ね卓（１８、３３、５２）の上の前記位置決め補助具における位置決めは、前記位置決めシステム（２５）と隣接し、且つ、個々の金属シート若しくは該金属シート用の切断装置（３０）の切断シーケンス又はその両方を意図する供給位置（３１）が、前記制御システム（１３）によって決定されることによりなされることを特徴とする方法。
【請求項１５】
請求項１１〜１４のいずれか１項に記載の方法において、
前記位置決め補助具は、該位置決め補助具の決定された位置によって、前記位置決め表面（２６、３７、５１）内で、前記積み重ね卓（１８、３３、５２）の上に自動に配置され、若しくは前記積み重ね卓（１８、３３、５２）から取り外され、又はその両方が行われることを特徴とする方法。
【請求項１６】
請求項１１〜１５のいずれか１項に記載の方法において、
前記位置決め補助具は、前記位置決めシステム（２５）の多軸ロボット（２４）によって、前記積み重ね卓（１８、３３、５２）の上に配置され、若しくは前記積み重ね卓（１８、３３、５２）から取り外され、又はその両方が行われ、前記多軸ロボット（２４）は、前記位置決め補助具における位置決めを行った後に、前記位置決め補助具の上に前記金属シート（１６、３５）を積み重ねることを特徴とする方法。
【請求項１７】
請求項１１〜１５のいずれか１項に記載の方法において、
前記位置決め補助具は、前記位置決めシステム（２５）の多軸ロボット（２４）によって、前記積み重ね卓（１８、３３、５２）の上に配置され、若しくは前記積み重ね卓（１８、３３、５２）から取り外され、又はその両方が行われ、さらなる多軸ロボット（２２）は、前記位置決め補助具における位置決めを行った後に、前記位置決め補助具の上に前記金属シート（１６、３５）を積み重ねることを特徴とする方法。
【請求項１８】
請求項１１〜１７のいずれか１項に記載の方法において、
複数の前記変圧器鉄心（１２）は、１つの前記積み重ね卓（１８、３３、５２）の上で組み立てられることを特徴とする方法。
【請求項１９】
請求項１１〜１８のいずれか１項に記載の方法において、
前記位置決め補助具は、トランスポンダ（４６、４７、５９、６０）を有しており、
前記保持システム（１９）の送受信ユニットは、前記トランスポンダによって前記位置決め補助具を識別することを特徴とする方法。
【請求項２０】
請求項１９に記載の方法において、
前記保持システム（１９）は、前記トランスポンダ（４６、４７、５９、６０）に対して、前記位置決め表面（２６、３７、５１）の上の前記位置決め補助具における固定又はその解除が、前記位置決め補助具の保持装置（３６、５３）に生じるように通信することを特徴とする方法。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
装置のワイヤレス通信の方法であって、
スロットまたはミニスロットに含まれるチャネルのスケジューリング単位内で送信されるべきいくつかの復調基準信号(DM-RS)シンボルの位置を決定するステップであって、
最後のDM-RSシンボルが、スケジューリングされるデータを搬送する最後のシンボルの1シンボル前に配置されると決定され、
1つまたは複数のミッドアンブルDM-RSシンボルが、最初のDM-RSシンボルと前記最後のDM-RSシンボルとの間で概ね等しい距離に配置される、ステップと、
前記決定された位置に基づいて、前記スケジューリング単位において前記いくつかのDM-RSシンボルを送信するステップと
を備える、方法。
【請求項２】
前記位置を決定するステップが、前記スケジューリング単位内のフロントロード場所に前記最初のDM-RSシンボルが配置されると決定するステップを備え、
前記いくつかのDM-RSシンボルを送信するステップが、前記決定された位置に基づく前記フロントロード場所において前記最初のDM-RSシンボルを送信するステップを備える、請求項1に記載の方法。
【請求項３】
前記位置を決定するステップがさらに、前記最初のDM-RSシンボルと3番目のDM-RSシンボルとの間の第1の間隔および前記3番目のDM-RSシンボルと前記最後のDM-RSシンボルとの間の第2の間隔が1シンボルだけ異なるように、前記3番目のDM-RSシンボルが前記スケジューリング単位内で前記最初のDM-RSシンボルと前記最後のDM-RSシンボルとの間に配置されると決定するステップを備える、請求項2に記載の方法。
【請求項４】
前記位置を決定するステップがさらに、3番目のDM-RSシンボルと4番目のDM-RSシンボルが前記スケジューリング単位内で前記最初のDM-RSシンボルと前記最後のDM-RSシンボルとの間の中間に配置されると決定するステップを備え、前記スケジューリング単位内の任意の2つの連続するDM-RSシンボル間の間隔が同じであるか、または最大で1シンボルだけ異なる、請求項2に記載の方法。
【請求項５】
前記決定される位置が、前記スケジューリング単位の時間長、前記スロットまたはミニスロットの中の制御シンボルの数、前記スロットまたはミニスロットの中のガードシンボルの数、スケジューリングされるデータを搬送するシンボルの数、および展開環境のうちの1つまたは複数に基づく、請求項1に記載の方法。
【請求項６】
前記決定された位置が、周波数ホッピングが前記スケジューリング単位内で利用されるかどうかに基づく、請求項1に記載の方法。
【請求項７】
周波数ホッピングが前記スケジューリング単位内で利用されるとき、DM-RS場所の同じパターンが前記スケジューリング単位内の各周波数ホップに対して決定される、請求項6に記載の方法。
【請求項８】
前記装置が基地局またはユーザ機器のうちの1つを備える、請求項1に記載の方法。
【請求項９】
前記チャネルが、物理ダウンリンク共有チャネル(PDSCH)または物理アップリンク共有チャネル(PUSCH)のうちの1つである、請求項1に記載の方法。
【請求項１０】
前記スケジューリング単位の時間長が14シンボルより短い、請求項1に記載の方法。
【請求項１１】
ワイヤレス通信のための装置であって、
スロットまたはミニスロットに含まれるチャネルのスケジューリング単位内で送信されるべきいくつかの復調基準信号(DM-RS)シンボルの位置を決定するための手段であって、
最後のDM-RSシンボルが、スケジューリングされるデータを搬送する最後のシンボルの1シンボル前に配置されると決定され、
1つまたは複数のミッドアンブルDM-RSシンボルが、最初のDM-RSシンボルと前記最後のDM-RSシンボルとの間で概ね等しい距離に配置される、手段と、
前記決定された位置に基づいて、前記スケジューリング単位において前記いくつかのDM-RSシンボルを送信するための手段と
を備える、装置。
【請求項１２】
決定するための前記手段が、前記いくつかのDM-RSシンボルの前記位置を決定して、前記スケジューリング単位内のフロントロード場所に最初のDM-RSシンボルが配置されると決定するための手段を備え、
送信するための前記手段が、前記スケジューリング単位内の前記フロントロード場所において前記最初のDM-RSシンボルを送信するための手段を備える、請求項11に記載の装置。
【請求項１３】
決定するための前記手段が、前記スケジューリング単位の時間長、前記スロットまたはミニスロットの中の制御シンボルの数、前記スロットまたはミニスロットの中のガードシンボルの数、スケジューリングされるデータを搬送するシンボルの数、および展開環境のうちの1つまたは複数に基づいて、前記位置を決定するための手段を備える、請求項11に記載の装置。
【請求項１４】
決定するための前記手段が、周波数ホッピングが前記スケジューリング単位内で利用されるかどうかに基づいて、前記位置を決定するための手段を備える、請求項11に記載の装置。
【請求項１５】
コンピュータに請求項1乃至10のいずれか1項に記載の方法を実行させるためのコードを記憶したコンピュータ可読記録媒体。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
装置であって、
前面および背面を有するレーザ発光エピタキシャル構造であって、レーザ発光エピタキシャル構造が背面発光であり、単一メサ構造内に複数のレーザ領域を備え、各レーザ領域がアパーチャを有し、レーザビームがアパーチャを通して制御可能に放射される、レーザ発光エピタキシャル構造と、
レーザ発光エピタキシャル構造の背面上に置かれるマイクロレンズアレイであって、マイクロレンズアレイの各マイクロレンズがレーザ発光エピタキシャル構造のレーザ領域に位置合わせされる、マイクロレンズアレイと、
アパーチャから放射される複数のレーザビームを非コヒーレントに結合するように位置付けされる非コヒーレントなビームコンバイナと
を備える、装置。
【請求項２】
複数のレーザ領域の各々が、レーザ発光エピタキシャル構造の背面まで延在するレーザキャビティを備える、請求項１に記載の装置。
【請求項３】
レーザキャビティの各々が、レーザビーム放射のための光学軸を有し、光学軸がレーザ発光エピタキシャル構造の背面に対して垂直である、請求項２に記載の装置。
【請求項４】
マイクロレンズが反射コーティングで覆われて、放射されたレーザビームからのレーザ光をレーザキャビティを通して反射する、請求項２または３に記載の装置。
【請求項５】
反射されたレーザ光がレーザキャビティの中心に集中されるように、マイクロレンズがスムーズな曲率半径を有する、請求項４に記載の装置。
【請求項６】
マイクロレンズアレイがフォトリソグラフィックマイクロレンズアレイまたは複数のグラフェンレンズ構造を備える、請求項１から５のいずれか一項に記載の装置。
【請求項７】
非コヒーレントなビームコンバイナが、重複する集束点を有する二次元（２Ｄ）の非コヒーレントなビームコンバイナまたは複数の重複する集束点を有する三次元（３Ｄ）の非コヒーレントなビームコンバイナを備える、請求項１から６のいずれか一項に記載の装置。
【請求項８】
レーザ領域に電流を提供するように構成される電気導波管をさらに備え、
各レーザ領域が、単一メサ構造内で、単一メサ構造の他のレーザ領域に対し、電気的に絶縁される、請求項１から７のいずれか一項に記載の装置。
【請求項９】
複数のレーザ発光エピタキシャル構造と、レーザグリッドアレイとして構成される複数のマイクロレンズアレイとをさらに備える、請求項１から８のいずれか一項に記載の装置。
【請求項１０】
方法であって、
前面および背面を有するレーザ発光エピタキシャル構造に電流を選択的に印加することにより複数のレーザビームを発生させることであって、レーザ発光エピタキシャル構造が背面発光であり、単一メサ構造内に複数のレーザ領域を備え、各レーザ領域がアパーチャを有し、レーザビームがアパーチャを通して放射される、ことと、
レーザ発光エピタキシャル構造の背面上に置かれるマイクロレンズアレイに、発生されたレーザビームを仕向けることであって、マイクロレンズアレイの各マイクロレンズがレーザ発光エピタキシャル構造のレーザ領域に位置合わせされる、ことと、
アパーチャから放射されるレーザビームを非コヒーレントに結合することと
を含む、方法。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
コンポーネントキャリア(CC)を切り替える方法であって、
2つ以上のCCを切替えグループに属すると識別するステップであって、前記識別するステップが、前記2つ以上のCCがコンポーネントパスを共有すると決定するステップを含む、ステップと、
前記切替えグループの前記CCのうちの1つまたは複数のCCを代替の1つまたは複数のCCに切り替えるか、それとも前記切替えグループの前記CCのうちの前記1つまたは複数のCCを前記1つまたは複数の代替のCCに切り替えないかを決定するステップであって、前記決定するステップが、
前記切替えグループの別のCCを介した送信が、前記切替えグループの前記1つまたは複数のCCを介した送信に優先する場合、あるいは
前記切替えグループの前記CCの間の衝突が予想される場合、
前記切替えグループの前記CCのうちの前記1つまたは複数のCCを切り替えないと決定するステップを含む、ステップと、
前記決定に基づいて、前記切替えグループの第1のCCの少なくとも1つを介して、または前記第1のCCの代替のCCを介して送信するステップと
を含む、方法。
【請求項２】
前記2つ以上のCCが、
前記2つ以上のCCが同じタイミングアドバンスグループを共有する場合、
前記2つ以上のCCが同じバンドを共有する場合、または
前記2つ以上のCCが同じサイクリックプレフィックスを有する場合に、コンポーネントパスを共有すると決定される、請求項1に記載の方法。
【請求項３】
前記決定が少なくとも、
前記送信中に前記切替えグループの前記CCのうちの前記1つまたは複数のCCで送信されるデータタイプに基づく、請求項1に記載の方法。
【請求項４】
前記代替のCCを介して前記送信するステップが、サウンディング基準信号を送信するステップを含む、請求項1に記載の方法。
【請求項５】
前記2つ以上のCCが、
バンド内連続キャリアアグリゲーションでアグリゲートされる、または
バンド内キャリアアグリゲーションでアグリゲートされる
のうちの少なくとも1つであるとき、前記2つ以上のCCが切替えグループに属する、請求項1に記載の方法。
【請求項６】
前記決定が、前記切替えグループの前記1つまたは複数のCCを前記1つまたは複数の代替のCCに切り替えることを決定し、前記方法が、
少なくとも前記決定に基づいて、前記送信に先立って、前記切替えグループの前記2つ以上のCCによって共有されるコンポーネントパスの少なくとも1つのコンポーネントを調整するステップであって、前記送信が前記第1のCCの前記1つまたは複数の代替のCCを介して送信する、調整するステップ
をさらに含む、請求項1に記載の方法。
【請求項７】
前記送信後、前記少なくとも1つのコンポーネントをそれのデフォルト設定に戻すステップ
をさらに含む、請求項6に記載の方法。
【請求項８】
前記決定が、前記切替えグループの前記1つまたは複数のCCを前記1つまたは複数の代替のCCに切り替えないことを決定し、前記送信が、前記第1のCCを介して送信する、請求項1に記載の方法。
【請求項９】
前記決定が、前記切替えグループの前記1つまたは複数のCCのうちの1つのCCを前記1つまたは複数の代替のCCの代替物に切り替えることを決定し、前記送信が、前記第1のCCの前記1つの代替物で送信するステップを含む、請求項1に記載の方法。
【請求項１０】
コンポーネントキャリア(CC)を切り替えるシステムであって、
1つまたは複数のプロセッサと、送信機とを備え、前記1つまたは複数のプロセッサが、
前記2つ以上のCCがコンポーネントパスを共有すると決定することを含む、2つ以上のCCが切替えグループに属すると識別することと、
前記切替えグループの前記CCのうちの1つまたは複数のCCを1つまたは複数の代替のCCに切り替えるか、それとも前記切替えグループの前記CCのうちの1つまたは複数のCCを前記1つまたは複数の代替のCCに切り替えないかを決定することとを行い、前記1つまたは複数のプロセッサが、
前記切替えグループの別のCCを介した送信が、前記切替えグループの前記1つまたは複数のCCを介した送信に優先する場合、あるいは
前記切替えグループの前記CCの間の衝突が予想される場合、
前記切替えグループの前記CCのうちの前記1つまたは複数のCCを切り替えないと決定し、
前記送信機が、前記1つまたは複数のプロセッサの決定に基づいて、前記切替えグループの第1のCCの少なくとも1つを介して、または前記第1のCCの代替のCCを介して送信する、システム。
【請求項１１】
システムに1つまたは複数のコンポーネントキャリア(CC)を切り替えさせる、プログラムコードを記録したコンピュータ可読記憶媒体であって、前記プログラムコードが、請求項１〜９のいずれか一項に記載の方法を実行するためのコードを備える、コンピュータ可読記憶媒体。
【請求項１２】
請求項１〜９のいずれか一項に記載の方法を実行するための手段を備える、コンポーネントキャリア(CC)を切り替えるための装置。
【請求項１３】
1つまたは複数のコンポーネントキャリア(CC)を受信する方法であって、
2つ以上のCCを切替えグループに属すると識別するステップであって、前記識別するステップが、前記2つ以上のCCがコンポーネントパスを共有すると決定するステップを含む、ステップと、
前記切替えグループの第1のCC、または前記第1のCCの代替のCCのうちの少なくとも1つを受信するステップであって、
前記切替えグループの別のCCを介した送信が、前記切替えグループの前記1つまたは複数のCCを介した送信に優先する場合、あるいは
前記切替えグループの前記CCの間の衝突が予想される場合、前記切替えグループの前記第1のCC上で受信するステップを含む、ステップと、
前記受信した少なくとも1つのCCが、前記第1のCCであるか、それとも前記第1のCCの前記代替のCCであるかを決定するステップと、
少なくとも前記決定に基づいて、前記受信した少なくとも1つのCCを復号するステップと
を含む、方法。
【請求項１４】
システムに1つまたは複数のコンポーネントキャリア(CC)を受信させる、プログラムコードを記録したコンピュータ可読記憶媒体であって、前記プログラムコードが、請求項13に記載の方法を実行するためのコードを含む、コンピュータ可読記憶媒体。
【請求項１５】
1つまたは複数のコンポーネントキャリア(CC)を受信するための装置であって、請求項13に記載の方法を実行するための手段を備える、装置。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
アンテナスイッチを共有する1つまたは複数の帯域組合せのうちの1つまたは複数の帯域のリストを、ユーザ機器(UE)から受信するステップと、
前記受信されたリストに基づいて前記UEをスケジュールするステップとを含み、
前記リストに基づいて前記UEをスケジュールするステップが、前記1つまたは複数の帯域組合せが通信用に構成されるサブフレーム内で前記UEをスケジュールすることを回避するステップを含む、方法。
【請求項２】
前記リストが、各アップリンク帯域に対して、アンテナ切替えによって影響を及ぼされるアップリンク通信を有するすべての帯域のリストを含む、請求項1に記載の方法。
【請求項３】
前記リストが、各アップリンク帯域に対して、アンテナ切替えによって影響を及ぼされ
るダウンリンク通信を有するすべての帯域のリストを含む、請求項1に記載の方法。
【請求項４】
前記リストが、アンテナ切替えが前記1つまたは複数の帯域組合せの中の前記1つまたは複数の帯域に対してサポートされるかどうかに関する決定の前記BSへの表示を含む、請求
項1に記載の方法。
【請求項５】
前記1つまたは複数の帯域組合せの各々が、時分割複信(TDD)用に構成された少なくとも1つの帯域と周波数分割複信(FDD)または5G通信のうちの少なくとも1つのために構成された少なくとも1つの帯域とを含む、請求項1に記載の方法。
【請求項６】
前記1つまたは複数の帯域組合せが、TDD用に構成された前記少なくとも1つの帯域を伴うキャリアアグリゲーション(CA)用に構成される帯域を含む、請求項5に記載の方法。
【請求項７】
ワイヤレス通信のための装置であって、前記装置は基地局(BS)であり、
アンテナスイッチを共有する1つまたは複数の帯域組合せのうちの1つまたは複数の帯域のリストを、ユーザ機器(UE)から受信するための手段と、
前記受信されたリストに基づいて前記UEをスケジュールするための手段とを含み、
前記リストに基づいて前記UEをスケジュールするステップが、前記1つまたは複数の帯域組合せが通信用に構成されるサブフレーム内で前記UEをスケジュールすることを回避するステップを含む、装置。
【請求項８】
前記リストが、各アップリンク帯域に対して、アンテナ切替えによって影響を及ぼされるアップリンク通信を有するすべての帯域のリストを含む、請求項7に記載の装置。
【請求項９】
前記リストが、各アップリンク帯域に対して、アンテナ切替えによって影響を及ぼされるダウンリンク通信を有するすべての帯域のリストを含む、請求項7に記載の装置。
【請求項１０】
実行可能なコードを記憶するように配置されたコンピュータ可読媒体であって、装置によって実行されると前記装置に請求項１〜６のいずれか一項に記載の方法を実行させる、コンピュータ可読媒体。